(57)【要約】【課題】本発明は上下方向に回動する風向板を備えた空気調和装置に関するもので、天面からの突起部をなくし、手や物を引っ掛けることを抑制する。【解決手段】吸気口８と吹出口９とを有する本体ケース２と、本体ケース２内に設け、吸気口８から吸い込んだ空気を吹出口９へ送風する送風機３とを備え、本体ケース２の天面には吹出口９を設け、吹出口９には、風向板１９と、風向板１９を回動させるモータ部２０とを有し、風向板１９は、所定の角度で開口するときには、吹出口９内に位置することを特徴としたものなので、開口時、閉塞時共に吹出口９内に位置させることで、手や物が引っかかることを抑制し、損傷を防止することを目的とし、結果使い勝手を向上するものである。【選択図】  図３
2019027680.tif 000002
【特許請求の範囲】
【請求項１】
吸気口と吹出口とを有する本体ケースと、
前記本体ケース内に設け、前記吸気口から吸い込んだ空気を前記吹出口へ送風する送風機とを備え、
前記本体ケースの天面には前記吹出口を設け、
前記吹出口には、風向板と、前記風向板を回動させるモータ部とを有し、
前記風向板は、所定の角度で開口するときには、前記吹出口内に位置することを特徴とする送風装置。
【請求項２】
前記風向板は、前記吹出口を閉塞するときには、前記吹出口内に位置することを特徴とする請求項１に記載の送風装置。
【請求項３】
前記風向板は、
平板状の風向板本体と、
前記風向板本体の短辺付近に下向きに立設したアームとを有し、
前記アームに設けた風向板の回転軸を軸にして一方に倒すように傾動させることによって前記吹出口を開放する請求項１または２記載の送風装置。
【発明の詳細な説明】
【技術分野】
【０００１】
本発明は、空気調和装置に用いられ、上下方向に回動する風向板を備えた送風装置に関するものである。
【背景技術】
【０００２】
従来のこの種の空気調和装置の構成は以下のようになっていた（例えば、特許文献１参照）。
【０００３】
本体ケースの上面（上部）には、清浄化された空気を室内に吹出す吹出口を設け、この吹出口には、本体ケースにおける前後方向に吹出口調整手段を２つ設けている。
また、吹出口調整手段は、風向板と、２つの第１の左右風向板と、２つの第２の左右風向板と、モータとを備えている。
【０００４】
風向板は、横長四角形状の平板で、モータによって、本体ケースにおける前面側が仰角方向へ開口する。すなわち、風向板は、モータによって、本体ケースにおける前面側が上下方向に回動するように設けられていた。（例えば、これに類似する先行文献は下記特許文献１に記載されている）。
【先行技術文献】
【特許文献】
【０００５】
【特許文献１】特開２０１６−０２２４０５号公報
【発明の概要】
【発明が解決しようとする課題】
【０００６】
従来の空気調和装置においては、本体ケースの上面（上部）に清浄化された空気を室内に吹出す吹出口を設け、この吹出口には、モータによって、仰角方向に吹出し方向を変更する風向板を備えている。すなわち、この風向板は、閉鎖状態から先端を上方に持ち上げるように風向を変更するものである。従って、この風向板は閉塞するときには吹き出し面と平行に位置するが、開口するときは吹き出し面より外側へ出っ張る為、運転状態においては、手や物を引っ掛け、場合によっては風向板を損傷する、という課題を有していた。
【０００７】
そこで本発明は、開口時、閉塞時共に吹出口内に位置させることで、手や物が引っかかることを抑制し、損傷を防止することを目的とし、結果使い勝手を向上するものである。
【課題を解決するための手段】
【０００８】
そしてこの目的を達成するために本発明は、
吸気口と吹出口とを有する本体ケースと、前記本体ケース内に設け、前記吸気口から吸い込んだ空気を前記吹出口へ送風する送風機とを備え、前記本体ケースの天面には前記吹出口を設け、前記吹出口には、風向板と、前記風向板を回動させるモータ部とを有し、前記風向板は、所定の角度で開口するときには、前記吹出口内に位置することを特徴としたものである。これにより、所期の目的を達成するものである。
【発明の効果】
【０００９】
以上のように本発明は、吸気口と吹出口とを有する本体ケースと、前記本体ケース内に設け、前記吸気口から吸い込んだ空気を前記吹出口へ送風する送風機とを備え、前記本体ケースの天面には前記吹出口を設け、前記吹出口には、風向板と、前記風向板を回動させるモータ部とを有し、前記風向板は、所定の角度で開口するときには、前記吹出口内に位
置することを特徴としたものなので、開口時、閉塞時共に吹出口内に位置させることで、手や物が引っかかることを抑制し、損傷を防止することを目的とし、結果使い勝手を向上するものである。
【図面の簡単な説明】
【００１０】
【図１】本発明の実施の形態１の空気調和装置の斜視図
【図２】同空気調和装置の断面図
【図３】同空気調和装置の吹出部の斜視図
【図４】同空気調和装置の吹出部の斜視図
【図５】同空気調和装置の吹出部の斜視断面図
【図６】同空気調和装置の風向板の斜視図
【発明を実施するための形態】
【００１１】
以下、本発明の実施の形態について図面を参照しながら説明する。
【００１２】
（実施の形態１）
図１は、本発明の実施の形態１の空気調和装置１の斜視図であり、空気調和装置１を前面側から見た図である。図２は、本発明の実施の形態１の空気調和装置１の断面図であり、空気調和装置１を右側から見た図である。
【００１３】
図１、２に示すように、本実施形態の空気調和装置１は、本体ケース２と、本体ケース２内には、送風機３と、空気調和部である空気清浄部４および加湿部５と、センサー部６と、発光表示装置７とを備えている。発光表示装置７は、運転状態やセンサー部６による検知結果などをＬＥＤの発光を用いて表示するものである。
【００１４】
本体ケース２は、両側面には略四角形状の吸気口８を有し、天面には水平面１８を有し、水平面１８には吹出口９を設け、吹出口９には、風向板１９と、この風向板１９を回動させるモータ部２０とを備えている。図１、２では、吹出口９は、閉じた状態である。本体ケース２の前面上部には、センサー部６と発光表示装置７とを有している。
【００１５】
送風機３は、本体ケース２の中央部に設けられ、モータ部１０と、モータ部１０により回転するファン部１１と、それらを囲むケーシング部１２とを備えている。
【００１６】
ファン部１１は、シロッコファンで、モータ部１０から水平方向に延びたモータ軸（図示せず）に固定され、モータ部１０は、ケーシング部１２に固定されている。ケーシング部１２は、ケーシング部１２の本体ケース２における上面側に吐出口１３を備え、ケーシング部１２の本体ケース２における背面側に吸込口１４を有している。
【００１７】
空気清浄部４は、本体ケース２内における前面側に設けられている。空気清浄部４の一例は、蛇腹状に折られた濾材を額縁状の枠に固定された空気清浄フィルターである。
【００１８】
加湿部５は、水を貯水する貯水容器１５と、貯水容器１５に水を供給するタンク部材（図示せず）と、貯水容器１５内の水に一部が浸漬した加湿フィルター１６とを備えている。貯水容器１５と加湿フィルター１６は、送風機３より下方に配置されている。
【００１９】
モータ部１０によってファン部１１が回転すると、吸気口８から風路１７内に入った外部の空気は、順に、空気清浄部４である空気清浄フィルター、加湿部５である加湿フィルター１６、送風機３、吹出口９を介して、吹き出される。
【００２０】
センサー部６の一例は、汚れセンサーである。汚れセンサーは、本体ケース２外の空気
の汚れ度合を検知する。検知した空気の汚れ度合を発光表示装置７で表示する。
【００２１】
本実施形態の特徴は、図３〜５に示す風向板１９を設けた吹出部である。図３、図４は、本発明の実施の形態１の空気調和装置１の吹出部の斜視図である。図５は、本発明の実施の形態１の空気調和装置１の吹出部の斜視断面図である。
【００２２】
図３、４に示すように、風向板１９は、第１の風向板２１と第２の風向板２２を備えている。そして、図５に示すように、風向板１９は、連結部２３を介してモータ部２０に接続され、モータ部２０の駆動により傾動するものである。
【００２３】
本実施の形態では、風向板１９は、第１の風向板２１と第２の風向板２２の２つ備えている。風向板１９の枚数は２枚に限定するものではなく、１枚でも良いし、３枚以上であってもよく、空気調和装置１の大きさによって決定する設計事項である。図６に示すように、それぞれの風向板１９は、略長方形の板形状の風向板本体２６と、風向板本体２６の鉛直方向に伸びたアーム２７と、風向板軸２８とギア２５を有している。アーム２７は、風向板本体２６の短辺付近に下方向に立設して設けられている。ギア２５は、風向板軸２８の一方の端部に設けられ、円盤、あるいは扇形形状である。このギア２５とかみ合うように設けられたモータ部２０の駆動により、風向板１９が傾動する。本実施の形態では、第１の風向板２１と第２の風向板２２は、ギア２５に設けた支持部と連結部２３とを接続し、２枚の第１の風向板２１と第２の風向板２２が同期して傾動するようになっている。
【００２４】
連結部２３は、略棒形状で両端付近にギア２５と連結するための開口を有している。すなわち、連結部２３は、ギア２５を介し、第１の風向板２１と第２の風向板２２とを連結させ、風向板１９は、円弧を描き可動することになる。そして、風向板１９の風向板軸２８は、水平面１８よりもアーム２７の長さ分（風向板本体２６から突出した長さ）だけ下部に配置されている。
【００２５】
このような構成による風向板１９の動作について説明する。
【００２６】
風向板１９は、図５に示すように、風向板軸２８を回転軸にして傾動する。アーム２７は、風向板本体２６の短辺側であって、短辺の一方に寄せて設けられている。すなわち、アーム２７は、風向板本体２６の短辺を長手側Ａと短手側Ｂとに分けていることになる。そして、風向板１９は、吹出口の閉鎖状態においては、水平面１８に対し、風向板本体２６が平行になるように位置している。この状態から吹出口を開放するとき、風向板１９は、アーム２７と風向板本体２６の接続位置から、前述の長手側Ａに倒すように傾動させるのである。その結果、風向板１９を開放したとき、風向板１９は、水平面１８よりも下方に位置することになり、水平面１８から突出した部分がなくなるのである。
【００２７】
なお、風向板１９の傾動過程においては、短手側Ｂの端部が水平面１８よりも突出することになるが、短手側Ｂの長さを短くすることによって突出量を小さくすることができる。
【００２８】
なお、空気調和装置の運転時、第１の風向板２１と第２の風向板２２は共に所定の角度で開口するが、第１の風向板２１と第２の風向板２２は連結して動作する。開口角度は、例えば６０°である。
【００２９】
このような構成によれば、本体ケース２の天面には水平面１８を有し、水平面１８には吹出口９を設け、吹出口９には、風向板１９と、風向板１９を回動させるモータ部２０とを有し、風向板１９は、所定の角度で開口するときには、吹出口９内に位置することを特徴としたものである。このように、風向板１９は、運転時、すなわち、開口時に吹出口内
に位置することになる。そのため、風向板１９に手や物が引っかかることが少なくなり、風向板１９に対する損傷を防止することができる。その結果使い勝手を向上するものである。
【００３０】
また、風向板１９は、吹出口９を閉塞するときには、吹出口９内に位置する構成としてもよい。これにより、風向板１９は、停止時、すなわち、閉塞時に吹出口内に位置することになる。そのため、停止時においても風向板１９に手や物が引っかかることが少なくなり、風向板１９に対する損傷を防止することができる。また、停止時においては、空気調和装置の天面（水平面１８）を平坦とすることができ、デザイン性の向上につながっている。
【産業上の利用可能性】
【００３１】
本発明に係る空気調和装置は、開口時、閉塞時共に吹出口内に位置させることで、手や物が引っかかることを抑制し、損傷を防止することを目的とし、結果使い勝手を向上するものであるので、家庭用や事務所で使用される空気調和装置として有用である。
【符号の説明】
【００３２】
１      空気調和装置
２      本体ケース
３      送風機
４      空気清浄部
５      加湿部
６      センサー部
７      発光表示装置
８      吸気口
９      吹出口
１０      モータ部
１１      ファン部
１２      ケーシング部
１３      吐出口
１４      吸込口
１５      貯水容器
１６      加湿フィルター
１７      風路
１８      水平面
１９      風向板
２０      モータ部
２１      第１の風向板
２２      第２の風向板
２３      連結部
２４      突出部
２５      ギア
２６      風向板本体
２７      アーム
２８      風向板軸
【図１】
2019027680.tif 000003
【図２】
2019027680.tif 000004
【図３】
2019027680.tif 000005
【図４】
2019027680.tif 000006
【図５】
2019027680.tif 000007
【図６】
2019027680.tif 000008